【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
ハウジングと、
一次電力供給ネットワークから電力を受ける、前記ハウジング内の一次入力電力接続部と、
二次電源から電力を受ける、前記ハウジング内の二次入力電力接続部と、
１つ以上の光源に電力を供給する、前記ハウジング内の出力電力接続部と、
前記ハウジング内の電子回路であって、前記一次及び二次入力電力接続部から前記出力電力接続部への配電を制御して、前記１つ以上の光源への配電を制御する電子回路とを有し、
前記電子回路は、
使用時に前記一次入力電力接続部と結合された一次電力供給ネットワーク上における外部電気負荷の指標を決定する決定手段と
前記一次及び二次入力電力接続部から引き出される電力を、前記一次電力供給ネットワーク上で決定されたところの前記外部電気負荷の指標に応じて、変更する変更手段と、を有する照明制御装置であって、
前記照明制御装置は、
前記電子回路が、前記１つ以上の光源に配電するために前記一次入力電力接続部から前記出力電力接続部へ配電するように構成される動作の通常モードと、
前記電子回路が、前記一次入力電力接続部から電力をとらない又は最低限の電力をとるように構成され、かつ、前記１つ以上の光源に配電するために前記二次入力電力接続部から前記出力電力接続部へ配電するように構成される動作のエコノミーモードと、
前記電子回路が、前記一次入力電力接続部から前記二次入力電力接続部へ配電して、前記二次電源に充電するように構成される動作の充電モードと、を有し、
前記決定手段は、前記一次入力電力接続部で受電された電力信号の周波数測定値を決定するように構成され、
前記電子回路は、前記周波数測定値を使用して、前記一次電力供給ネットワーク上に高負荷、低負荷又は通常負荷があるかを決定するように構成され、
前記電子回路は、前記一次電力供給ネットワーク上に低負荷がある場合は、前記照明制御装置が前記充電モードで動作し、前記一次電力供給ネットワーク上に前記通常負荷がある場合は、前記照明制御装置が前記通常モードで動作し、前記一次電力供給ネットワーク上に前記高負荷がある場合は、前記照明制御装置が前記エコノミーモードで動作する、ように構成される、ことを特徴とする照明制御装置。
【請求項２】
前記引き出される電力を変更する前記変更手段は、前記外部電気負荷の指標を受信するように構成されたプロセッサを有し、このプロセッサは、前記決定された前記一次電力供給ネットワークへの外部電気負荷指標に応じた制御信号を出力して、前記一次及び二次入力電力接続部から引き出される電力を制御するように構成されることを特徴とする請求項１に記載の照明制御装置。
【請求項３】
前記一次及び二次入力電力接続部から引き出される電力を変更する前記変更手段は、前記出力電力接続部に配電される電力を、一次供給ネットワーク上の電気負荷から独立して１つ以上の光源の明るさが維持されるように、供給するべく構成されることを特徴とする請求項１又は２に記載の照明制御装置。
【請求項４】
前記電子回路は、
少なくとも１つの閾値を提供する手段と
前記閾値を前記電力信号の周波数測定値と比較する手段とを具備することを特徴とする請求項１に記載の照明制御装置。
【請求項５】
前記変更手段は、前記一次入力電力接続部から引き出される電力を、前記決定手段が前記一次電力供給ネットワーク上に前記高負荷があると決定したときに、第１の非ゼロ電力レベルから第２の非ゼロ電力レベルに減少させるように構成されることを特徴とする請求項１乃至４のいずれか１に記載の照明制御装置。
【請求項６】
前記変更手段は、前記一次入力電力接続部から引き出される電力を、照明装置に関連付けられた二次電荷蓄積装置を充電するために使用される充電回路の動作を禁止することによって、前記一次入力電力接続部から引き出される電力を低減させるように動作可能である、ことを特徴とする請求項５に記載の照明制御装置。
【請求項７】
前記変更手段は、前記一次入力電力接続部から引き出される電力を減少させるのを、前記１つ以上の光源、によって発生させられる光の明るさを減少させることによってなすように動作可能である、ことを特徴とする請求項１、５、６のいずれか１に記載の照明制御装置。
【請求項８】
照明装置は、前記一次入力電力接続部から引き出される電力を、その照明装置に関連付けられた前記二次電源から引き出される電力で置き換えるように動作可能である、ことを特徴とする請求項１乃至７のいずれか１に記載の照明制御装置。
【請求項９】
前記変更手段は、前記一次入力電力接続部から引き出される電力を、前記決定手段が、前記一次電力供給ネットワーク上に前記低負荷があることを決定したときに、第３の非ゼロの電力レベルから第４の非ゼロの電力レベルに増加させるように構成されることを特徴とする請求項１乃至８のいずれか１に記載の照明制御装置。
【請求項１０】
前記二次電源は電荷蓄積装置であり、前記変更手段は、前記一次入力電力接続部から引き出される電力を、充電回路に、二次電荷蓄積装置を照明装置に関連させて充電させることを許すことにより、増加させるように動作可能であることを特徴とする請求項９に記載の照明制御装置。
【請求項１１】
前記変更手段は、前記一次入力電力接続部から引き出される電力を、前記１つ以上の光源によって生成される光の明るさを増加させることによって、増加するように動作可能であることを特徴とする請求項９又は請求項１０に記載の照明制御装置。
【請求項１２】
照明装置は、前記一次入力電力接続部から引き出される電力を、その照明装置に関連付けられた前記二次電源から引き出される電力で置換または補足するように動作可能である、ことを特徴とする請求項９又は請求項１０に記載の照明制御装置。
【請求項１３】
前記二次電源は電荷蓄積装置を具備し、前記電子回路は、さらに、前記電荷蓄積装置の残容量を決定する手段を備え、かつ
前記変更手段は、前記電荷蓄積装置の残容量に応じて、前記二次電源から引き出される電力を変化させるように構成される、ことを特徴とする請求項１乃至１２のいずれか１に記載の照明制御装置。
【請求項１４】
前記二次電源は電荷蓄積装置を含み、かつ
前記変更手段は、前記電荷蓄積装置の容量に応じて前記二次電源から引き出される電力を変化させるように構成される、ことを特徴とする請求項１乃至１３のいずれか１に記載の照明制御装置。
【請求項１５】
前記二次電源は電荷蓄積装置を含み、かつ
高いグリッド需要の期間中、前記変更手段は、所定の又は推定された時間期間、前記二次電源から電力を引き出すように構成される、ことを特徴とする請求項１乃至１４のいずれか１に記載の照明制御装置。
【請求項１６】
前記電子回路は、さらに、前記電荷蓄積装置の残容量を決定する手段を含み、前記変更手段は、前記二次電源から引き出される電力を、もしも、前記電荷蓄積装置の残容量が閾値未満、または、前記二次電源が第２の時間使われてきているときに、前記時間期間の間、低減するように構成される、ことを特徴とする請求項１５に記載の照明制御装置。
【請求項１７】
前記二次電源から引き出されている電力の低減は、前記１つ以上の光源の明るさの減少に結果する、ことを特徴とする請求項１６に記載の照明制御装置。
【請求項１８】
前記変更手段は、前記二次電源から引き出される電力を低減するときは、一次電源から引き出される電力を増加するように構成される、又は、
前記二次電源から引き出される電力を増大させるときは、一次電源から引き出される電力を低減するように構成される、又は、
前記結合された一次電力供給ネットワーク上の外部電気負荷の指標を決定する前記決定手段は、使用時に、一次入力電力信号の１つ以上のパラメータを測定して電源ネットワーク上の瞬間的な負荷を決定する、ように構成される、又は、
前記電子回路は、さらに、使用時に、前記一次入力電力接続部に結合された外部インピーダンスを測定する手段をさらに具備し、また、前記変更手段は、前記二次電源内から引き出される電力を測定されたインピーダンス値に応じて制御するように構成される、ことを特徴とする請求項１乃至１７のいずれか１に記載の照明制御装置。
【請求項１９】
前記ハウジングは、電球筐体、細長い管または同様の透明又は半透明のハウジングの少なくとも一部を形成する、ことを特徴とする請求項１乃至１８のいずれか１に記載の照明制御装置。
【請求項２０】
照明制御装置のハウジング内の一次入力電力接続部の一次電力供給ネットワークから電力を受け取り、
前記照明制御装置のハウジング内の二次入力電力接続部における二次電源から電力を受け取り、
前記照明制御装置のハウジング内の出力電力接続部を介して１つまたは複数の光源に電力を送達し、
前記照明制御装置のハウジング内の制御回路を使用して１つ以上の光源への電力の送達を制御するために、出力電力接続部への前記一次及び二次入力電力接続部からの電力の供給を制御するステップを含み、
前記制御するステップは、
前記一次電力供給ネットワーク上の外部電気負荷の指標を決定するステップと
前記一次電力供給ネットワーク上の外部電気負荷の決定された指標に依存して前記一次及び二次入力電力接続部から引き出される電力を変化させるステップとを含む、ハウジングを有する照明制御装置を用いた照明制御方法であって、
前記照明制御装置は、
前記１つ以上の光源のために前記一次入力電力接続部から前記出力電力接続部へ配電する動作の通常モードと、
前記一次入力電力接続部から電力をとらない又は最低限の電力をとるように構成され、かつ、前記１つ以上の光源のために前記二次入力電力接続部から前記出力電力接続部へ配電する動作のエコノミーモードと、
前記一次入力電力接続部から前記二次入力電力接続部へ配電して、前記二次電源に充電する動作の充電モードと、を有し、
前記決定するステップは、前記一次入力電力接続部で受電された電力信号の周波数測定値を決定し、
前記周波数測定値を使用して、前記一次電力供給ネットワーク上に高負荷、低負荷又は通常負荷があるかを決定し、
前記一次電力供給ネットワーク上に低負荷がある場合は、前記照明制御装置が前記充電モードで動作し、前記一次電力供給ネットワーク上に前記通常負荷がある場合は、前記照明制御装置が前記通常モードで動作し、前記一次電力供給ネットワーク上に前記高負荷がある場合は、前記照明制御装置が前記エコノミーモードで動作する、ことを特徴とする照明制御方法。